(57)【要約】【課題】仕切壁の上部に野菜容器を配設した冷蔵室を配置し、下部に冷凍室を配置し、１つの冷却器で冷蔵室及び冷凍室を冷却する場合であっても、利便性及び容積効率に優れた冷蔵庫を提供する。【解決手段】前面が開口する断熱箱体１７の内部を断熱仕切壁１８により上下に区画し、上方区画に冷蔵室２０を配置するとともに冷蔵室２０内に野菜容器２８を配設し、下方区画に冷凍貯蔵空間８０を配置した冷蔵庫１０において、冷蔵室２０及び冷凍貯蔵空間８０を冷却する冷却器５１と、冷蔵室２０及び冷凍貯蔵空間８０に冷気を循環させる冷却ファン５３と、冷蔵室２０及び冷凍貯蔵空間８０の冷気循環量を制御するダンパ５５と、を有し、冷凍貯蔵空間８０の背部に冷却器５１とダンパ５５と冷却ファン５３が配設され、ダンパ５５が冷却ファン５３の前方に配置されていることを特徴とする。【選択図】        図３
2009156527.tif 000002
【特許請求の範囲】
【請求項１】
前面が開口する断熱箱体の内部を断熱仕切壁により上下に区画し、上方区画に冷蔵室を配置するとともに前記冷蔵室内に野菜容器を配設し、下方区画に冷凍貯蔵空間を配置した冷蔵庫において、
前記冷蔵室及び前記冷凍貯蔵空間を冷却する冷却器と、前記冷蔵室及び前記冷凍貯蔵空間に冷気を循環させる冷却ファンと、前記冷蔵室及び前記冷凍貯蔵空間の冷気循環量を制御するダンパと、を有し、前記冷凍貯蔵空間の背部に前記冷却器と前記ダンパと前記冷却ファンが配設され、前記ダンパが前記冷却ファンの前方に配置されていることを特徴とする冷蔵庫。
【請求項２】
前記冷凍貯蔵空間には上下に複数段の収納容器が配設されており、最上段の収納容器が他の収納容器より奥行きが小さく形成され、前記最上段の収納容器の後方に前記冷却器と前記ダンパと前記冷却ファンが配置されていることを特徴とする請求項１に記載の冷蔵庫。
【請求項３】
前記冷蔵室に冷気を循環させる送風ファンが前記冷蔵室の背部に配設されていることを特徴とする請求項１又は２に記載の冷蔵庫。
【請求項４】
前面が開口する断熱箱体の内部を断熱仕切壁により上下に区画し、上方区画に冷蔵室を配置するとともに前記冷蔵室内に野菜容器を配設し、下方区画に冷凍貯蔵空間を配置した冷蔵庫において、
前記冷蔵室及び前記冷凍貯蔵空間を冷却する冷却器と、前記冷蔵室及び前記冷凍貯蔵空間に冷気を循環させる冷却ファンと、前記冷蔵室に冷気を循環させる送風ファンと、前記冷蔵室及び前記冷凍貯蔵空間の冷気循環量を制御するダンパと、を有し、
前記冷却器が前記冷凍貯蔵空間の背部に配設され、前記冷却器に供給する冷媒を圧縮する圧縮機が前記冷蔵室の背部上方に配設され、前記圧縮機の側方において前記ダンパが前記送風ファンの前方に配設されていることを特徴とする冷蔵庫。
【請求項５】
前記冷蔵室の内部は複数の貯蔵空間に区画され、前記貯蔵空間内の温度を測定する温度センサと前記貯蔵空間内に供給される冷気循環量を制御する補助ダンパとが、前記各貯蔵空間に配設されていることを特徴とする請求項４に記載の冷蔵庫
【請求項６】
前記最上段の収納容器の後方に電源装置が配置されていることを特徴とする請求項２に記載の冷蔵庫。
【発明の詳細な説明】
【技術分野】
【０００１】
本発明は、冷蔵室及び冷凍貯蔵空間を有し、これらを冷却する冷却器と冷気を循環させる冷気ファンとを備えた冷蔵庫に関する。
【背景技術】
【０００２】
従来、仕切壁の上部に冷蔵室を、下部に冷凍室をそれぞれ配置し、冷蔵室内に野菜容器を配設した冷蔵庫が知られている（例えば、特許文献１参照）。
【０００３】
この冷蔵庫において１つの冷却器で冷蔵室及び冷凍室を冷却する場合、冷蔵室及び冷凍室に冷気を循環させる冷却ファンが冷却器近傍に配置され、この冷却ファンの上方に冷蔵室と冷凍室の冷気循環量を制御するダンパが配置されており、冷却器、冷却ファン、及びダンパ等の構造物が上下に分かれて配置されていることにより、冷蔵庫内の不所望な箇所に出っ張りが生じやすくなる問題がある。
【０００４】
また、冷蔵庫本体の背面下部に設けられた機械室内には、圧縮機や冷蔵庫の電源装置等が配設されているため、冷凍室の下部に大きな出っ張りが生じることに加え、発熱量の大きい圧縮機が冷凍室と隣接する機械室に配置することから冷凍室と機械室とを区画する断熱壁が肉厚となり、冷凍室の容積が犠牲になる問題がある。
【特許文献１】特開平５−１５７４２９号
【発明の開示】
【発明が解決しようとする課題】
【０００５】
本発明は上記問題を考慮してなされたものであり、仕切壁の上部に野菜容器を配設した冷蔵室を配置し、下部に冷凍室を配置し、１つの冷却器で冷蔵室及び冷凍室を冷却する場合であっても、利便性及び貯蔵品を収納する容積効率に優れた冷蔵庫を提供することを目的とする。
【課題を解決するための手段】
【０００６】
本発明の冷蔵庫は、前面が開口する断熱箱体の内部を断熱仕切壁により上下に区画し、上方区画に冷蔵室を配置するとともに前記冷蔵室内に野菜容器を配設し、下方区画に冷凍貯蔵空間を配置した冷蔵庫において、前記冷蔵室及び前記冷凍貯蔵空間を冷却する冷却器と、前記冷蔵室及び前記冷凍貯蔵空間に冷気を循環させる冷却ファンと、前記冷蔵室及び前記冷凍貯蔵空間の冷気循環量を制御するダンパと、を有し、前記冷凍貯蔵空間の背部に前記冷却器と前記ダンパと前記冷却ファンが配設され、前記ダンパが前記冷却ファンの前方に配置されていることを特徴とする。
【発明の効果】
【０００７】
本発明の冷蔵庫では、冷蔵庫内の不所望な箇所に出っ張りが生じるのを抑えることができ、利便性及び貯蔵品を収納する容積効率を改善することができる。
【発明を実施するための最良の形態】
【０００８】
以下、本発明の１実施形態につき図面を参照して説明する。図１は本実施形態に係る冷蔵庫１の外観斜視図であり、図２は冷蔵庫１の冷蔵室扉を開扉した状態を示す斜視図、図３は冷蔵庫１の縦断面図である。
【０００９】
冷蔵庫１０は、外箱１２と内箱１４との間に発泡断熱材１６を充填して断熱箱体１７を形成し、貯蔵室内部を断熱仕切壁１８によって上部の冷蔵室２０と下部の冷凍貯蔵空間８０とに区画している。
【００１０】
冷蔵室２０内部は、さらに載置棚を兼ねた天井仕切板２２及び仕切板２３によって上下に３つの空間に区画され、上部空間を例えば３〜６℃程度に冷却され複数段の載置棚２４を設けた冷蔵貯蔵空間２６とし、中部空間を例えば４〜７℃程度に冷却され引き出し式の野菜容器２８を配置する野菜貯蔵空間３０とし、下部空間を例えば−３〜０℃程度に冷却される低温容器３２を配置する低温貯蔵空間３４としており、野菜を収納する野菜容器２８を冷蔵室２０内に配設したことで、本実施形態では、例えば、冷蔵室２０の高さ寸法が９００ｍｍ程度に設定されている。
【００１１】
野菜容器２８は、立ち上がり高さの低い前壁２８ａと周壁とから上面を開放した容器であり、冷蔵室２０の両側壁内側に取り付けられた一対のスライドレール（不図示）に載置されることで、前後方向に摺動可能として引き出し自在な構成としている。
【００１２】
そして、野菜容器２８を冷蔵室２０内の所定の位置に収納し設置した場合には、その上面に配置した天井仕切板２２によって上面が閉塞され、野菜容器２８の前壁２８ａと天井仕切板２２の前縁で形成される開口部には、野菜容器２８の前後移動に連動して前記開口部を開閉するとともに、手動にてもその開閉ができ、あるいは常時開状態を維持することができる蓋体３６を配設している。また、野菜容器２８の一側部にはバスケット状の小物容器３８を備えており、野菜容器２８の左側壁内面に形成したレールにより片持梁で前後方向にスライド可能に保持されている。
【００１３】
冷蔵室２０の前面開口部は、断熱箱体１７に設けられたヒンジ部４０，４０に回動自在に取り付けられた左右の冷蔵室扉４２，４２によって観音開き方式で閉塞されており、左右両方の冷蔵室扉４２，４２の扉内側、すなわち扉背面には、上方に食品などを収納するための棚状の収納トレイ４４が上下に２段配設され、その下方にペットボトルやビンなど背の高い容器を収納する収納ポケット４６が上下に２段配設されている。
【００１４】
冷蔵室２０の下部に設けられた冷凍貯蔵空間８０には、断熱仕切壁１８の直下において、自動製氷装置を備えた製氷室８２と室内温度を切換設定することができる温度切替室８４とが左右に併設されており、製氷室８２及び温度切替室８４の下部に冷凍室８６が設けられている。製氷室８２、温度切替室８４、及び冷凍室８６は、いずれも引き出し式扉によって前面開口部が閉塞され、内部に配設された収納容器８８，８９が開扉動作に連動して引き出されるようになっている。
【００１５】
製氷室８２、温度切替室８４に配設された収納容器８８は冷凍室８６に配設された上下２段の収納容器８８より奥行き寸法が小さく設けられ、これにより冷凍貯蔵空間８０には上下に複数段の収納容器が配設され、最上段の製氷室８２及び温度切替室８４に配設された収納容器８８が冷凍室８６に配設された収納容器８９より奥行き寸法が小さく設けられている。
【００１６】
そして、冷凍貯蔵空間８０の背部、例えば、製氷室８２及び温度切替室８４の背部には、１つの冷却器５１と冷却ファン５３とダンパ５５とを収納する冷却器室５２が配設され、冷却器室５２の背部には冷蔵庫１０に所定電圧値の電源を供給する電源装置７０が配設されている。冷却器５１は冷蔵庫１０の下部に設けた圧縮機７１の吐出側からの冷媒を図示しない冷凍サイクルを介して導入されることで冷却され、この冷却器５１との熱交換により低温化された冷気を冷却ファン５３及びダンパ５５によって冷蔵室２０及び冷凍貯蔵空間８０に分流して供給して各貯蔵室に導入する。
【００１７】
詳細には、冷却器５１の上方には冷却ファン５３が前方に送風するように配置され、冷却ファン５３の前方にダンパ５５が配置されており、ダンパ５５を開閉制御することで冷蔵吹出ダクト５７及び冷凍吹出ダクト５９へ導入する冷気量を調整する。
【００１８】
冷蔵吹出ダクト５７には、冷蔵貯蔵空間２６、野菜貯蔵空間３０、及び低温貯蔵空間３４のぞれぞれの貯蔵空間に開口する吹出口６１ａ，６１ｂ，６１ｃが穿設されており、各吹出口６１ａ，６１ｂ，６１ｃの近傍に設置した補助ダンパ６２ａ，６２ｂ，６２ｃを開閉制御することによって各貯蔵室空間への冷気導入量を調整し、冷蔵室２０内の各貯蔵室空間を所定の設定温度に冷却する。また、冷蔵吹出ダクト５７の上部には、冷却ファン５３を補助して冷蔵室２０に冷気を循環させる送風ファン５４が配設されており、冷蔵室２０内に設けられた各貯蔵空間内の温度分布の均一化する。
【００１９】
冷凍吹出ダクト５９に導入された冷気は、冷却器室５２の前方の温度切替室８４と、その側方に隣接する製氷室８２と、温度切替室８４及び製氷室８２の下方の冷凍室８６とに分流して各貯蔵室に開口する吹出口６１ｄ，６１ｅ，６１ｆから導入され、各室内を所定の温度に冷却する。
【００２０】
そして、冷蔵室２０及び冷凍貯蔵空間８０を循環した冷気は、冷蔵室２０及び冷凍室８６の背面下部に設けられた吸込口６４，６５から吸い込まれリターンダクト６６，６７を介して冷却器室５２の戻り、再び、冷却器５１により冷却され冷蔵室２０及び冷凍貯蔵空間８０を循環する。
【００２１】
制御装置は、冷蔵室２０内の冷蔵貯蔵空間２６、野菜貯蔵空間３０、及び低温貯蔵空間３４のぞれぞれの貯蔵空間に配設された温度センサ６３ａ，６３ｂ，６３ｃから検出される各貯蔵空間の温度と、冷凍貯蔵空間８０、主に冷凍室８６に配設された温度センサから検出される温度に基づいて圧縮機７１、冷却ファン５３，送風ファン５４、ダンパ５５、及び補助ダンパ６２ａ，６２ｂ，６２ｃの運転制御を行う。
【００２２】
以上のように本実施形態の冷蔵庫１０では、製氷室８２及び温度切替室８４の背部に冷却器５１、冷却ファン５３、ダンパ５５及び電源装置７０を設け、ダンパ５５を冷却ファン５３の前方に配置することにより、特に奥行きを必要としない物を貯蔵することを目的とする製氷室８２や温度切替室８４に冷却ファン５３やダンパ５５等の構造物を集約させ、使用者が利用しやすい冷蔵室２０や冷凍室８６に出っ張りが生じるのを抑え、実質的な収納容積の効率化と利便性の向上を図ることができ使い勝手の良い冷蔵庫が得られる。
【００２３】
また、冷蔵室２０内に設けられた冷蔵貯蔵空間２６、野菜貯蔵空間３０、及び低温貯蔵空間３４には、ぞれぞれの貯蔵空間に対応する温度センサ６３ａ，６３ｂ，６３ｃと補助ダンパ６２ａ，６２ｂ，６２ｃを備えているため、きめ細かな温度管理が可能となる。
【００２４】
更にまた、冷蔵吹出ダクト５７に送風ファン５４を配設して冷蔵室内への冷気の送風能力が向上するため、冷蔵吹出ダクト５７を小さく設定することができる。しかも、送風ファン５４は、冷却器５１から生成された冷気を冷蔵室２０内に送風する冷却ファン５３を補助するものであることから、冷却ファン５３に比べ小さなファンで構成することができるため、送風ファン５４による出っ張りが冷蔵室２０に生じることがない。
【００２５】
（変更例）
次に、本実施形態の変更例について図５及び図６を参照して説明する。なお、上記した実施形態と同一又は対応する要素には同一符号を付し、重複する説明は省略する。
【００２６】
本変更例では、冷蔵室２０の背部上方、すなわち冷蔵貯蔵空間２６の背部には、幅方向の一方側に寄せて前方に突出する段部７３が形成されており、この段部７３とカバー体７４との間に形成されたコンプ室７５に圧縮機５６が配置されている。また、コンプ室７５の側方には冷蔵吹出ダクト５７が配設されており、この冷蔵吹出ダクト５７内にダンパ５５が送風ファン５４の前方に位置するように、ダンパ５５と送風ファン５４とが配設されている
このように、有効に利用されにくい冷蔵庫の後方上部空間に圧縮機７１とダンパ５５と送風ファン５４を集約させることで、使用者が利用しやすい冷蔵室２０や冷凍室８６に出っ張りが生じるのを抑え、実質的な収納容積の効率化と利便性の向上を図ることができ使い勝手の良い冷蔵庫が得られる。
【図面の簡単な説明】
【００２７】
【図１】本発明の１実施形態に係る冷蔵庫の外観斜視図である。
【図２】本発明の１実施形態に係る冷蔵庫の冷蔵室扉を開扉した状態を示す斜視図である。
【図３】本発明の１実施形態に係る冷蔵庫の縦断面図である。
【図４】本発明の１実施形態に係る冷蔵庫の各種ダクトの構成を示す図面である。
【図５】本発明の変更例に係る冷蔵庫の縦断面図である。
【図６】図５のＡ−Ａ断面図である。
【符号の説明】
【００２８】
１０…冷蔵庫                １７…断熱箱体                １８…断熱仕切壁
２８…野菜容器              ５１…冷却器                  ５３…冷却ファン
５５…ダンパ                ８０…冷凍貯蔵空間
【図１】
2009156527.tif 000003
【図２】
2009156527.tif 000004
【図３】
2009156527.tif 000005
【図４】
2009156527.tif 000006
【図５】
2009156527.tif 000007
【図６】
2009156527.tif 000008